(57)【要約】【課題】特定のメモリカードが挿入され、この特定のメモリカードが正常なものでも、突入電流が大きい場合に、異常なメモリカードが挿入されたと記録装置が判断することがなく、したがって、メモリカードに電源供給が停止されることを防止することができる記録装置を提供することを目的とするものである。【解決手段】ＵＳＢインタフェースのＶｂｕｓに電源を供給してから、タイマにセットされた一定時間は、上記Ｖｂｕｓの電流を監視する電流監視手段の出力信号を無視し、Ｖｂｕｓへの電源供給の停止を阻止する記録装置である。【選択図】　図１
2004094821.tif 000002
【特許請求の範囲】
【請求項１】
ＵＳＢインタフェースと；
上記ＵＳＢインタフェースのＶｂｕｓからの電源供給によって動作し、所定のメモリカードに記憶されているデータの読み出しを制御するメモリカードリーダと；
上記ＵＳＢインタフェースと上記メモリカードリーダとを接続する接続手段と；
上記メモリカードリーダが読み出したデータを、上記ＵＳＢインタフェースを介して、受信する受信手段と；
上記受信手段が受信したデータを、記録紙に記録する記録手段と；
上記Ｖｂｕｓの電流を監視する電流監視手段と；
タイマと；
上記電流監視手段の出力信号に応じて、上記メモリカードリーダに接続されているＶｂｕｓへの電源供給を停止し、しかも、上記Ｖｂｕｓに電源を供給してから、上記タイマにセットされた一定時間は、上記電流監視手段の出力信号を無視してＶｂｕｓへの電源供給を停止しない電源供給制御手段と；
を有することを特徴とする記録装置。
【請求項２】
ＵＳＢインタフェースと；
上記ＵＳＢインタフェースのＶｂｕｓからの電源供給によって動作し、メモリカードに記憶されているデータの読み出しを制御するメモリカードリーダと；
上記ＵＳＢインタフェースと上記メモリカードリーダとを接続する接続手段と；
上記メモリカードリーダが読み出したデータを、上記ＵＳＢインタフェースを介して受信するデータ受信手段と；
上記データ受信手段が受信したデータを記録紙に記録する記録手段と；
Ｖｂｕｓの電流が所定の値を超えたか否かを判定する電流値判定手段と；
タイマと；
Ｖｂｕｓの供給をＯＮ／ＯＦＦするスイッチ手段と；
上記電流値判定手段の出力信号に応じて、上記スイッチ手段をＯＦＦするスイッチ制御手段と；
上記Ｖｂｕｓに電源を供給してから、上記タイマにセットされた一定時間は、上記電流値判定手段の出力信号を無視してＶｂｕｓへの電源供給を停止しない電源供給制御手段と；
を有することを特徴とする記録装置。
【請求項３】
ＵＳＢインタフェースと；
上記ＵＳＢインタフェースのＶｂｕｓからの電源供給によって動作し、メモリカードに記憶されているデータの読み出しを制御するメモリカードリーダと；
上記ＵＳＢインタフェースと上記メモリカードリーダとを接続する接続手段と；
上記メモリカードリーダが読み出したデータを、上記ＵＳＢインタフェースを介して、受信するデータ受信手段と；
上記データ受信手段が受信した上記データを、記録紙に記録する記録手段と；
上記Ｖｂｕｓを供給する垂下機能付きレギュレータと；
上記垂下機能付きレギュレータの出力をＯＮ／ＯＦＦする切替手段と；
上記Ｖｂｕｓの電圧を監視する電圧監視手段と；
タイマと；
上記Ｖｂｕｓの電圧が所定の電圧よりも低くなったことを、上記電圧監視手段が検出すると、上記垂下機能付きレギュレータの出力をＯＦＦさせるように、上記切替手段を制御する切替制御手段と；
上記Ｖｂｕｓに電源を供給してから、上記タイマにセットされた一定時間は、上記電圧監視手段の検出を無視してＶｂｕｓへの電源供給を停止しない電源供給制御手段と；
を有することを特徴とする記録装置。
【請求項４】
ＵＳＢインタフェースと；
上記ＵＳＢインタフェースのＶｂｕｓからの電源供給によって動作し、メモリカードに記憶されているデータの読み出しを制御するメモリカードリーダと；
上記メモリカードリーダと接続する第１のＵＳＢインタフェース手段と；
上記メモリカードリーダが読み出したデータを、上記第１のＵＳＢインタフェース手段を介して、受信するデータ受信手段と；
上記データ受信手段が受信したデータを記録紙に記録する記録手段と；
パーソナルコンピュータと接続する第２のインタフェース手段と；
上記パーソナルコンピュータからの命令に従って、上記第１のＵＳＢインタフェース手段を介して上記メモリカードリーダから受信したデータを、上記第２のインタフェース手段を介して、上記パーソナルコンピュータに送信する送信手段と；
上記パーソナルコンピュータからの命令に従って、上記第２のインタフェース手段を介して上記パーソナルコンピュータから受信したデータを、上記第１のＵＳＢインタフェース手段を介して、上記メモリカードリーダへ送信する送信手段と；
上記メモリカードリーダへのＶｂｕｓの電流を監視する電流監視手段と；
タイマと；
上記Ｖｂｕｓの電源供給を停止する電源供給停止手段と；
上記電流監視手段の出力に従って、上記メモリカードリーダへの上記Ｖｂｕｓの電源供給を停止する通知手段と；
上記Ｖｂｕｓに電源を供給してから、上記タイマにセットされた一定時間は、上記電流監視手段の出力信号を無視して上記Ｖｂｕｓへの電源供給を停止しない電源供給制御手段と；
を有することを特徴とする記録装置。
【発明の詳細な説明】
【０００１】
【発明の属する技術分野】
本発明は、ＵＳＢインタフェースを介して、メモリカードリーダに接続される記録装置に係り、特に、メモリカードに記憶されている画像データを記録紙に記録することができる記録装置に関するものである。
【０００２】
【従来の技術】
近年のデジタルカメラの普及に伴い、デジタルカメラによって撮影され、種々のメモリカードに記憶されている画像データを、パーソナルコンピュータを介さずに、記録紙に記録する記録装置が、特開２００１−９６８４４公報に開示されている。
【０００３】
この記録装置において、記録装置の制御部と、メモリカードリーダとを、ＵＳＢインタフェースで接続し、ＵＳＢインタフェースのＶｂｕｓからメモリカードリーダに電源を供給し、メモリカードリーダを動作させ、メモリカードリーダに挿入されたメモリカードに記憶されている画像データを読み出し、ＵＳＢインタフェースを通じ、記録装置の制御部に転送し、画像処理した後に、記録する。
【０００４】
その際、ユーザは、好みのメモリカードをメモリカードリーダに挿入できるので、記録装置は、どのメモリカードが挿入されるか分からない。つまり、多大な電力を消費するメモリカードが挿入されることがあり、また、場合によっては故障しているために過電流が流れるメモリカードが挿入されることがある。
【０００５】
【発明が解決しようとする課題】
上記のように、メモリカードリーダに想定外の電流が流れると、記録装置の電源の電力容量を越え、電源が故障するという問題が生じる。また、電源の保護回路が動作することによって、記録装置が動作しないという問題が生じ、さらに、メモリカードリーダが故障するという問題が生じる。
【０００６】
そこで、同出願人による特願２００２−１８０９５２では、想定外の過電流を消費するメモリカードがメモリカードリーダに挿入され、メモリカードリーダに所定の値以上の電流が流れた場合、過電流を検出し、メモリカードリーダへの電源供給を停止させることが提案されている。
【０００７】
しかし、メモリカードリーダとメモリカードとは、電気容量性を持っているので、装置本体の電源を立ち上げ、Ｖｂｕｓに電源供給した直後に、大きな突入電流が流れる。特定のメモリカードが挿入されると、その特定のメモリカードが正常なものであっても、突入電流が大きい場合があり、この場合には、電流検出手段が、上記突入電流を、過電流であると判断し、異常なメモリカードが挿入されたと記録装置が判断し、メモリカードに電源供給を停止するという問題がある。
【０００８】
本発明は、特定のメモリカードが挿入され、この特定のメモリカードが正常なものでも、突入電流が大きい場合に、異常なメモリカードが挿入されたと記録装置が判断することがなく、したがって、メモリカードに電源供給が停止されることを防止することができる記録装置を提供することを目的とするものである。
【０００９】
【課題を解決するための手段】
本発明は、ＵＳＢインタフェースのＶｂｕｓに電源を供給してから、タイマにセットされた一定時間は、上記Ｖｂｕｓの電流を監視する電流監視手段の出力信号を無視し、Ｖｂｕｓへの電源供給の停止を阻止する記録装置である。
【００１０】
【発明の実施の形態および実施例】
図１は、本発明の第１実施例である記録装置１００を示すブロック図である。
【００１１】
記録装置１００は、制御部１と、ＲＯＭ２と、ＲＡＭ３と、バッファメモリ４と、記録処理部５と、記録部６と、操作部７と、ＵＳＢ通信部８と、メモリカードリーダ９と、過電流検出部３０と、スイッチ部１１と、バス２０と、制御信号２１と、タイマ２７とを有する。
【００１２】
制御部１は、ＲＯＭ２に記憶したプログラムに従って記録装置１００の全体を制御する。ＲＯＭ２は、記録装置１００を制御する制御プログラムを記憶しているメモリである。ＲＡＭ３は、記録装置１００を制御する上で必要な演算処理等を行うために使用されるメモリである。バッファメモリ４は、記録部６で記録する画像データ等を一時記憶するメモリである。記録処理部５は、メモリカードリーダ９から読み出した画像データを、記録処理に最適な形式に変換する記録処理部である。
【００１３】
記録部６は、画像データを記録媒体に記録する。操作部７は、記録装置を操作するものである。ＵＳＢ通信部８は、メモリカードリーダ９との間で、ＵＳＢによって通信する。
【００１４】
メモリカードリーダ９は、Ｖｂｕｓ２２から電源供給を受け、種々のメモリカードに記憶されている画像データを読み出す。また、メモリカードリーダ９は、ＵＳＢインタフェースを有し、ＵＳＢインタフェースのＶｂｕｓ２２から電源供給を受けて動作し、ＣＦカード、メモリスティック、ＳＤカード等のメモリカードの読み出し制御を行い、ＵＳＢインタフェースを介して、メモリカードから読み出した画像データを、記録装置１００に転送する。
【００１５】
過電流検出部３０は、Ｖｂｕｓ２２に過電流が流れているか否かを監視する。
【００１６】
スイッチ部１１は、ＵＳＢ通信部８から出力された制御信号２１に基づいて、Ｖｂｕｓ２２を介して、メモリカードリーダ９へ電源供給されることをＯＮ／ＯＦＦする。
【００１７】
バス２０は、制御部１と各ブロックとを接続する。制御信号２１は、スイッチ部１１をＯＮ／ＯＦＦする信号である。
【００１８】
Ｖｂｕｓ２２は、ＵＳＢで規格化され、ＵＳＢ機器を動作させるための電源を供給する。
【００１９】
差動信号２３、２４は、それぞれ、ＵＳＢで規格化された差動信号Ｄ＋、Ｄ−であり、２５は、ＧＮＤであり、検出出力信号２６は、過電流検出部からの検出出力信号である。
【００２０】
次に、上記実施例の動作について説明する。
【００２１】
まず、制御部１は、ＵＳＢ通信部８を介して、メモリカードリーダ９から画像データを受信すると、一旦バッファメモリ４に蓄積し、同時にバッファメモリ４に蓄積した画像データを順次読み出し、記録処理部５に転送する。
【００２２】
記録処理部５は、受信した画像データ（一般的にはＪＰＥＧデータ）をデコードし、ＣＭＹＫの色成分に分解し、色の再現性がさらに向上するように、記録部６の特性や記録媒体の性質（記録紙の種類）に合わせた画像処理を実行し、記録部６に転送する。記録部６は、記録処理部から送られた記録データを記録媒体に記録する。
【００２３】
ここで、本体の電源を投入し、Ｖｂｕｓ２２に電源を供給した瞬間に、メモリカードリーダ９とメモリカードとの電気容量性によって、突入電流が流れ、過電流検出部３０が過電流を検出する場合がある。
【００２４】
そこで、タイマ２７は、Ｖｂｕｓ２２に電源を投入してから、電流が安定するまでの時間を予め適切に見積り、電源投入とともに、タイマ２７が起動する。タイマ２７が起動している間は、過電流検出部３０からの検出出力信号を受けても、制御部１は、Ｖｂｕｓ２２の電源供給を止めないように、過電流検出部３０からの検出出力信号を無視する。
【００２５】
メモリカードリーダ９に多大な電力を消費するメモリカードが挿入され、または故障し、過電流が流れるメモリカードが挿入され、しかも、タイマ２７のカウント終了後に、過電流検出部３０が過電流であると判定すると、検出出力信号２６が、制御部１に送られ、上記過電流を制御部１に通知する。
【００２６】
制御部１は、この検出出力信号を受けると、異常状態であると判断し、ＵＳＢ通信部８にコマンドを送り、スイッチ部１１をＯＦＦ状態にし、メモリカードリーダ９へのＶｂｕｓ２２の供給、つまり電源供給を停止する。
【００２７】
図２は、過電流検出部３０の具体例を示す回路図である。
【００２８】
過電流検出部３０は、コンパレータ３１と、抵抗３２〜３６とを有し、過電流検出信号２６が出力される。
【００２９】
ここで、Ｖｂｕｓ２２を流れる電流をｉとし、Ｖｂｕｓ２２の電圧をｅとすると、コンパレータ３１の−端子の電位は、Ｒ３・ｅ／（Ｒ＋Ｒ３）であり、＋端子の電位は、Ｒ２・（ｅ−Ｒ・ｉ）である。なお、抵抗３３、３５の値は、Ｒであり、抵抗３６の値は、Ｒ２であり、抵抗３４の値は、Ｒ３である。
【００３０】
抵抗３６の値Ｒ２を、抵抗３４の値Ｒ３よりもやや大きめに設定しておけば、通常状態では、＋端子側の電位の方が高く、コンパレータは、“Ｈ”レベルを出力する。
【００３１】
ところが、Ｖｂｕｓ２２を流れる電流が多くなると、＋端子側の電位が下がり、逆転し、コンパレータの出力が“Ｌ”レベルに反転する。
【００３２】
コンパレータの出力信号２６が“Ｌ”レベルに反転したことを、制御部１が確認すると、制御部１が、スイッチ部１１をＯＦＦする。コンパレータ３１が“Ｌ”レベルを出力する電流値は、Ｒ３・ｅ／（Ｒ＋Ｒ３）＞Ｒ２・（ｅ−Ｒ・ｉ）であるので、
ｉ＞（ｅ／Ｒ）−（Ｒ３・（Ｒ＋Ｒ２））／（Ｒ・Ｒ２・（Ｒ＋Ｒ３））
になると、コンパレータの出力が反転する。したがって、検出したい電流値に合わせて、上記Ｒ、Ｒ２の値、Ｒ３の値を決めておけばよい。
【００３３】
図３は、上記実施例において、Ｖｂｕｓ２２に電源を供給してから、過電流を検出するまでの動作を示すフローチャートである。
【００３４】
まず、Ｓ１１では、制御部１が、適切な時間に設定されたタイマをスタートさせ、Ｓ１２では、Ｖｂｕｓ２２で電源を供給するために、スイッチ部１１をＯＮし、Ｓ１３では、過電流検出部３０の出力を無視する。
【００３５】
Ｓ１４では、タイマが終了するまで、過電流検出部３０の出力を無視する。Ｓ１５では、タイマが終了してから過電流を検出すると、ステップＳ１６に進み、ＵＳＢ通信部８にコマンドを送り、スイッチ部１１をＯＦＦし、つまり、Ｖｂｕｓ２２をＯＦＦする。
【００３６】
上記実施例によれば、簡単な構成によって、メモリカードリーダ９の過電流を検出し、また、過電流を検出すると、メモリカードリーダ９へのＶｂｕｓ２２の供給を停止し、つまり電源供給を停止する。
【００３７】
図４は、本発明の第２実施例である記録装置２００を示すブロック図である。
【００３８】
記録装置２００は、記録装置１００において、過電流検出部３０、スイッチ部１１の代わりに、レギュレータ１５と電圧検出部４０とを有する装置である。
【００３９】
なお、記録装置２００における構成要素１〜９は、記録装置１００における構成要素１〜９と同様のものである。
【００４０】
垂下機能付レギュレータ１５は、Ｖｃｃ（＞Ｖｂｕｓ２２）の入力電圧をドロップし、Ｖｂｕｓ２２を生成するものであり、過電流検出回路が内蔵され、この内蔵された過電流検出回路によって過電流が検出されると、レギュレータ１５の出力電圧を垂下する。
【００４１】
レギュレータ１５は、ＯＮ／ＯＦＦ端子付きであり、ＵＳＢ通信部８から出力された制御信号２１によって、ＯＮ／ＯＦＦ制御される。
【００４２】
電圧検出部４０は、Ｖｂｕｓ２２が所定の電圧よりも低くなると、この電圧低下を検知し、検出出力信号２８を出力し、制御部１に通知する。
【００４３】
記録装置２００の電源を投入し、Ｖｂｕｓ２２に電源を供給した瞬間に、メモリカードリーダ９とメモリカードとの電気容量性によって、突入電流が流れ、レギュレータ１５の垂下機能が働き、Ｖｂｕｓ２２の電圧が降下し、所定の電圧よりも低くなると、電圧検出部４０は、上記電圧低下を検出し、信号２８を介して、制御部１に通知する場合がある。
【００４４】
そこで、Ｖｂｕｓ２２に電源を投入してから、電流が安定するまでの時間を、タイマ２７に、予め適切に見積り、電源投入とともに起動させる。制御部１は、タイマ２７が起動している間、電圧検出部４０からの検出出力信号を受けても、Ｖｂｕｓ２２の電源供給を止めないように、電圧検出部４０からの検出出力信号を無視する。
【００４５】
タイマ２７のカウント終了後に、多大な電力を消費するメモリカードが、メモリカードリーダ９に挿入され、または故障し、過電流が流れるメモリカードが挿入されると、レギュレータ１５の垂下機能が働き、Ｖｂｕｓ２２の電圧が降下し、所定の電圧よりも低くなると、電圧検出部４０は上記電圧低下を検出し、信号２８を介して制御部１に通知する。
【００４６】
制御部１は、この検出出力信号を受けると、異常状態であると判断し、ＵＳＢ通信部８に、コマンドを送り、レギュレータ１５のＯＮ／ＯＦＦスイッチを、ＯＦＦ状態にさせ、メモリカードリーダ９へのＶｂｕｓ２２の供給を停止し、つまり電源供給を停止する。
【００４７】
図５は、電圧検出部４０の具体的な回路例を示す図である。
【００４８】
電圧検出部４０は、コンパレータ４１を有し、基準電圧として３．３Ｖが与えられ、コンパレータ４１は、電圧検出出力信号２８を出力する。
【００４９】
ここで、過電流によってＶｂｕｓ２２が垂下し、基準電圧＋３．３ＶよりもＶｂｕｓ２２が低くなると、コンパレータ４１の出力信号２８が反転し、過電流であることを制御部１に通知する。上記実施例では、基準電圧を＋３．３Ｖとしたが、他の電圧値を、基準電圧として設定するようにしてもよい。
【００５０】
第２実施例によれば、簡単な構成でメモリカードリーダ９の過電流を検出することができ、また、過電流状態になるとＶｂｕｓ２２の電圧を落とし、つまり電源供給を停止することができる。
【００５１】
図６は、本発明の第３実施例である記録装置３００を示すブロック図である。
【００５２】
記録装置３００は、制御部１と、ＲＯＭ２と、ＲＡＭ３と、バッファメモリ４と、記録処理部５と、記録部６と、操作部７と、ＵＳＢホスト通信部８と、メモリカードリーダ９と、過電流検出部３０と、スイッチ部１１と、ＵＳＢデバイス通信部１２と、ＵＳＢコネクタ１３と、バス２０とを有する。
【００５３】
制御部１は、ＲＯＭ２に記憶したプログラムに従って記録装置３００の全体を制御する。ＲＯＭ２は、記録装置３００を制御する制御プログラムを記憶しているメモリである。ＲＡＭ３は、記録装置３００を制御する上で必要な演算処理等を行うために使用されるメモリである。バッファメモリ４は、記録部６で記録する画像データ等を一時記憶するメモリである。
【００５４】
記録処理部５は、メモリカードリーダ９から読み出した画像データを、記録処理に最適な形式に変換する記録処理部である。記録部６は、画像データを記録媒体に記録する。操作部７は、記録装置３００を操作するための操作部である。
【００５５】
ＵＳＢホスト通信部８は、ＵＳＢによって、メモリカードリーダ９との間で通信する通信部であり、記録装置３００は、メモリカードリーダ９に対してＵＳＢホストとして動作し、メモリカードリーダ９とのＵＳＢ通信を司る。
【００５６】
メモリカードリーダ９は、Ｖｂｕｓ２２から電源供給を受け、種々のメモリカードに記憶されている画像データを読み出す。過電流検出部３０は、Ｖｂｕｓ２２に過電流が流れているか否かを監視する。スイッチ部１１は、ＵＳＢホスト通信部８から出力される制御信号２１によって、Ｖｂｕｓ２２のメモリカードリーダ９への供給をＯＮ／ＯＦＦする。
【００５７】
ＵＳＢデバイス通信部１２は、ＵＳＢによってＰＣ（パーソナルコンピュータ）７０との間で通信するためのＵＳＢデバイス通信部であり、ＰＣ７０によってスケジューリングされたタイミングで、ＰＣ７０とデータ通信を行う。
【００５８】
ＵＳＢコネクタ１３は、ＵＳＢで規格化されたＵＳＢケーブルを接続するためのＵＳＢコネクタである。バス２０は、制御部１と各ブロックとを接続する。
【００５９】
制御信号２１は、スイッチ部１１をＯＮ／ＯＦＦするための制御信号であり、Ｖｂｕｓ２２は、ＵＳＢで規格化され、ＵＳＢ機器を動作させるための電源を供給する。差動信号２３、２４は、それぞれ、ＵＳＢで規格化された差動信号Ｄ＋、Ｄ−であり、２５は、ＧＮＤであり、過電流検出部３０から検出出力信号２６が出力される。
【００６０】
Ｖｂｕｓ５１は、ＵＳＢで規格化され、ＰＣ７０から供給されるＶｂｕｓであり、ＵＳＢデバイス通信部１２は、この信号の電位によってＰＣ７０が接続されているか否かを判定する。
【００６１】
差動信号５２、５３は、ＵＳＢで規格化された差動信号Ｄ＋、Ｄ−であり、この信号線によってＰＣ７０とのデータのやり取りを行う。５４は、ＧＮＤであり、ＵＳＢケーブル６０は、ＵＳＢ規格に則ったＵＳＢケーブルである。
【００６２】
メモリカードリーダ９は、ＵＳＢインタフェースを有し、ＵＳＢインタフェースのＶｂｕｓ２２から電源供給を受けて動作し、ＣＦカード、メモリスティック、ＳＤカード等のメモリカードの読み出し制御を行い、ＵＳＢインタフェースによってメモリカードリーダ９から読み出した画像データを、記録装置３００に転送する。制御部１は、ＵＳＢホスト通信部８を介して、メモリカードリーダ９から画像データを受信すると、一旦バッファメモリ４に蓄積し、同時にバッファメモリに蓄積した画像データを順次、読み出し、記録処理部５に転送する。
【００６３】
記録処理部５は、受信した画像データ（一般的にはＪＰＥＧデータ）をデコードし、ＣＭＹＫの色成分に分解し、色の再現性がさらに、向上するように、記録部６の特性や記録媒体の性質（記録紙の種類）に合わせた画像処理を施し、記録部６に転送する。記録部６は、記録処理部５から送られた記録データを記録媒体に記録する。
【００６４】
ここで、本体の電源を投入し、Ｖｂｕｓ２２に電源を供給した瞬間に、メモリカードリーダ９とメモリカードとの電気容量性によって、突入電流が流れ、過電流検出部３０が過電流を検出する場合がある。そこで、タイマ２７は、Ｖｂｕｓ２２に電源を投入してから、電流が安定するまでの時間を予め適切に見積っておき、電源投入とともに起動させる。制御部１は、タイマ２７が起動している間、過電流検出部３０からの検出出力信号を受けても、Ｖｂｕｓ２２の電源供給を止めないように、過電流検出部３０からの検出出力信号を無視する。
【００６５】
タイマ終了後、メモリカードリーダ９に多大な電力を消費するメモリカードが挿入され、または故障し、過電流が流れるメモリカードが挿入され、過電流検出部３０が過電流であると判定すると、検出出力信号２６が、制御部１に送られ、上記過電流を制御部１に通知する。制御部１は、この検出出力信号を受けると、異常状態であると判断し、ＵＳＢ通信部８にコマンドを送り、スイッチ部１１をＯＦＦ状態にさせ、メモリカードリーダ９へのＶｂｕｓ２２の供給、つまり電源供給を停止する。
【００６６】
図７は、Ｖｂｕｓ２２に電源を供給してから、過電流検出をするまで動作を示すフローチャートである。
【００６７】
まず、Ｓ２１では、制御部１は、適切の時間に設定されたタイマをスタートさせる。Ｓ２２では、Ｖｂｕｓ２２で電源を供給するためにスイッチ部１１をＯＮする。Ｓ２３では、過電流検出部３０の出力を無視する。Ｓ２４では、タイマが終了するまで過電流検出部３０の出力を無視する。Ｓ２５では、タイマが終了してから過電流を検出すると、ステップＳ２６に進み、ＵＳＢ通信部８にコマンドを送り、スイッチ部１１をＯＦＦする、つまり、Ｖｂｕｓ２２をＯＦＦする。
【００６８】
【発明の効果】
請求項１記載の発明によれば、ＵＳＢインタフェースと、上記ＵＳＢインタフェースのＶｂｕｓからの電源供給によって動作し、メモリカードに記憶されているデータの読み出しを制御するメモリカードリーダと、上記ＵＳＢインタフェースと上記メモリカードリーダとを接続する接続手段と、上記メモリカードリーダが読み出したデータを、上記ＵＳＢインタフェースを介して受信する受信手段と、上記受信手段が受信したデータを記録紙に記録する手段と、Ｖｂｕｓの電流を監視する電流監視手段と、タイマと、上記電流監視手段の出力信号に応じて、上記メモリカードリーダに接続されているＶｂｕｓへの電源供給を停止する電源供給停止手段とを有する記録装置において、Ｖｂｕｓに電源を供給してから、上記タイマにセットされた一定時間は、上記電流監視手段の出力信号を無視してＶｂｕｓへの電源供給の停止を阻止することによって、Ｖｂｕｓに電源を供給する際の突入電流による誤検知を防止することができるという効果を奏する。
【００６９】
請求項２記載の発明によれば、ＵＳＢインタフェースと、上記ＵＳＢインタフェースのＶｂｕｓからの電源供給によって動作し、メモリカードに記憶されているデータの読み出しを制御するメモリカードリーダと、上記ＵＳＢインタフェースと上記メモリカードリーダとを接続する接続手段と、上記メモリカードリーダが読み出したデータを、上記ＵＳＢインタフェースを介して受信するデータ受信手段と、上記データ受信手段が受信したデータを記録紙に記録する記録手段と、Ｖｂｕｓの電流が所定の値を超えたか否かを判定する電流値判定手段と、タイマと、Ｖｂｕｓの供給をＯＮ／ＯＦＦするスイッチ手段と、上記電流値判定手段の出力信号に応じて、上記スイッチ手段をＯＦＦするスイッチ制御手段とを有する記録装置において、Ｖｂｕｓに電源を供給してから、上記タイマにセットされた一定時間は、上記電流値判定手段の出力信号を無視してＶｂｕｓへの電源供給を停止しないことによって、Ｖｂｕｓに電源を供給する際の突入電流による誤検知を防止することができるという効果を奏する。
【００７０】
請求項３記載の発明によれば、ＵＳＢインタフェースと、上記ＵＳＢインタフェースのＶｂｕｓからの電源供給によって動作し、メモリカードに記憶されているデータの読み出しを制御するメモリカードリーダと、上記ＵＳＢインタフェースと上記メモリカードリーダとを接続する接続手段と、上記メモリカードリーダが読み出したデータを、上記ＵＳＢインタフェースを介して受信するデータ受信手段と、上記データ受信手段が受信した上記データを、記録紙に記録する記録手段と、Ｖｂｕｓを供給する垂下機能付きレギュレータと、上記垂下機能付きレギュレータの出力をＯＮ／ＯＦＦする切替手段と、上記Ｖｂｕｓの電圧を監視する電圧監視手段と、タイマと、上記Ｖｂｕｓの電圧が所定の電圧よりも低くなったことを、上記電圧監視手段が検出すると、上記垂下機能付きレギュレータの出力をＯＦＦさせるように、上記切替手段を制御する制御手段とを有する記録装置において、Ｖｂｕｓに電源を供給してから、上記タイマにセットされた一定時間は、上記電圧監視手段の検出を無視してＶｂｕｓへの電源供給を停止しないことによって、Ｖｂｕｓに電源を供給する際の突入電流による誤検知を防止することができるという効果を奏する。
【００７１】
請求項４記載の発明によれば、ＵＳＢインタフェースと、上記ＵＳＢインタフェースのＶｂｕｓからの電源供給によって動作し、メモリカードに記憶されているデータの読み出しを制御するメモリカードリーダと、上記メモリカードリーダと接続する第１のＵＳＢインタフェース手段と、上記メモリカードリーダが読み出したデータを、上記第１のＵＳＢインタフェース手段を介して受信するデータ受信手段と、上記データ受信手段が受信したデータを記録紙に記録する記録手段と、パーソナルコンピュータと接続する第２のインタフェース手段と、上記パーソナルコンピュータからの命令に従って、上記第１のＵＳＢインタフェース手段を介して、上記メモリカードリーダから受信したデータを、上記第２のインタフェース手段を介して、上記パーソナルコンピュータに送信する送信手段と、上記パーソナルコンピュータからの命令に従って、上記第２のインタフェース手段を介して、上記パーソナルコンピュータから受信したデータを、上記第１のＵＳＢインタフェース手段を介して、上記メモリカードリーダへ送信する送信手段と、上記メモリカードリーダへのＶｂｕｓの電流を監視する電流監視手段と、タイマと、上記Ｖｂｕｓの電源供給を停止する電源供給停止手段と、上記電流監視手段の出力に従って、上記メモリカードリーダへの上記Ｖｂｕｓの電源供給を停止する通知手段とを有する記録装置において、Ｖｂｕｓに電源を供給してから、上記タイマにセットされた一定時間は、上記電流監視手段の出力を無視することによって、Ｖｂｕｓに電源を供給する際の突入電流による誤検知を防止することができるという効果を奏する。
【図面の簡単な説明】
【図１】本発明の第１実施例である記録装置１００を示すブロック図である。
【図２】過電流検出部３０の具体例を示す回路図である。
【図３】上記実施例において、Ｖｂｕｓ２２に電源を供給してから、過電流を検出するまでの動作を示すフローチャートである。
【図４】本発明の第２実施例である記録装置２００を示すブロック図である。
【図５】電圧検出部４０の具体的な回路例を示す図である。
【図６】本発明の第３実施例である記録装置３００を示すブロック図である。
【図７】Ｖｂｕｓ２２に電源を供給してから、過電流検出をするまで動作を示すフローチャートである。
【符号の説明】
１００、２００、３００…記録装置、
１…制御部、
２…ＲＯＭ、
３…ＲＡＭ、
４…バッファメモリ、
５…記録処理部、
６…記録部、
７…操作部、
８…ＵＳＢ通信部、
９…メモリカードリーダ、
１１…スイッチ部、
１２…ＵＳＢデバイス通信部、
１３…ＵＳＢコネクタ、
１５…レギュレータ、
２０…バス、
２１…制御信号、
２７…タイマ、
３０…過電流検出部、
４０…電圧検出部。
【図１】
2004094821.tif 000003
【図２】
2004094821.tif 000004
【図３】
2004094821.tif 000005
【図４】
2004094821.tif 000006
【図５】
2004094821.tif 000007
【図６】
2004094821.tif 000008
【図７】
2004094821.tif 000009